(57)【要約】【課題】本発明はカード３２が完全に嵌合された状態の際に確実に検知できるスイッチ機構を有するカードコネクタ１０を提供する。【解決手段】本目的は所要数のコンタクト１４、１５と、コンタクト１４、１５が保持・配列されるとともにカード３２が挿入される嵌合口３０を有するハウジング１２と、カード３２の挿抜を検出するスイッチ機構とを備えるカードコネクタ１０において、スイッチ機構として、第一スイッチ端子１６と第二スイッチ端子１８を備え、カード３２が未挿入状態では第一スイッチ端子１６と第ニスイッチ端子１８は接触した若しくは未接触状態であり、カード３２が挿入されると第一スイッチ端子１６がカード３２が挿入される方向（奥行き方向）で斜め下方に変位することで、第一スイッチ端子１６と第二スイッチ端子１８とが未接触若しくは接触した状態になることで、カード３２の挿抜状態を検出可能にすることにより達成できる。【選択図】  図２
2006107971.tif 000002
【特許請求の範囲】
【請求項１】
少なくとも１枚以上のカードが挿抜されるカードコネクタであって、前記カードと接触する接触部を有する所要数のコンタクトと、該コンタクトが保持・配列されるとともに前記カードが挿入される嵌合口を有するハウジングと、前記カードの挿抜を検出するスイッチ機構とを備えるカードコネクタにおいて、
前記スイッチ機構として、２つのスイッチ端子（第一スイッチ端子と第二スイッチ端子）を備え、前記カードが未挿入状態では前記第一スイッチ端子と前記第ニスイッチ端子は接触した若しくは未接触状態であり、前記カードが挿入されると前記第一スイッチ端子が前記カードが挿入される方向（奥行き方向）で斜め下方に変位することで、第一スイッチ端子と第二スイッチ端子とが未接触若しくは接触した状態になることで、前記カードの挿抜状態を検出可能にすることを特徴とするカードコネクタ。
【請求項２】
上下２段に２枚のカードが挿抜されるカードコネクタであって、前記カードと接触する接触部を有する所要数のコンタクトと、該コンタクトが保持・配列されるとともに前記カードが挿入される嵌合口を有するハウジングと、前記カードの挿抜を検出するスイッチ機構とを備えるカードコネクタにおいて、
下段側に前記スイッチ機構として、２つのスイッチ端子（第一スイッチ端子と第二スイッチ端子）を備え、前記カードが未挿入状態では前記第一スイッチ端子と前記第ニスイッチ端子は接触した若しくは未接触状態であり、前記カードが挿入されると前記第一スイッチ端子が前記カードが挿入される方向（奥行き方向）で斜め下方に変位することで、第一スイッチ端子と第二スイッチ端子とが未接触若しくは接触した状態になることで、前記カードの挿抜状態を検出可能にすることを特徴とするカードコネクタ。
【請求項３】
前記第一スイッチ端子は断面略倒Ｕ形状をするとともに一端側に前記カード及び前記第二スイッチ端子と接触する接触部と他端側に基板に接続する接続部と前記接触部と前記接続部との間に固定部を有し、前記第二スイッチ端子は略クランク形状をするとともに一端側に前記第一スイッチ端子と接触する接触部と他端側に基板に接続する接続部と前記接触部と前記接続部との間に固定部を有し、各端子の前記接続部が前記ハウジングの幅方向に突出することを特徴とする請求項１または２記載のカードコネクタ。
【請求項４】
前記第一スイッチ端子の前記接触部と前記固定部の間で、前記接触部より斜め上方に傾斜した傾斜部を設けることを特徴とする請求項１、２または３記載のカードコネクタ。
【請求項５】
前記カードが挿入されるとまず前記第一スイッチ端子の接点Ａに接し、さらに挿入されると前記第一スイッチ端子が前記カードが挿入される方向（奥行き方向）で斜め下方に変位し、完全に前記カードが挿入されると前記第一スイッチ端子の接点Ｂが前記第二スイッチ端子の接触部から離間し、前記カードの挿抜状態を検出可能にすることを特徴とする請求項１から４項のうちいずれかい１項記載のカードコネクタ。
【発明の詳細な説明】
【技術分野】
【０００１】
本発明は、機器内の電子・電気機器やプリンターやカードリーダに使用されるカードコネクタに関するもので、特にカードが挿抜される際の検出機構に関するものである。
【背景技術】
【０００２】
従来、種々の情報の媒体となる異なるカードが存在し、コネクタを情報機器に取り付け、コネクタを介して媒体の蓄積情報の取り出しまたは蓄積を行なっている。
また、カードの挿抜にあたっては、確実にカードが挿入されている必要があるため、前記カードが挿入されているかどうかを確認する必要が生じる。そこで、挿入されているかどうかを確認するために、スイッチ機構を用いることが多い。
スイッチ機構としては、厚み方向に変位し検知するもの（特許文献１）や幅方向に変位し検知するもの（特許文献２）や奥行き方向に変位し検知するものなどがある。
奥行き方向に変位し検知するものは、図５に基づいて、構造を説明する。図５（Ａ）はカードが挿入される前のスイッチ端子の状態を説明する図であり、（Ｂ）はカードが挿入された時のスイッチ端子の状態を説明する図である。図５のように、従来のカードコネクタ６０は主にハウジング６２とコンタクトと２つのスイッチ端子６６、６８とを備えている。カード３２が挿入される前は、２つのスイッチ端子６６、６８は離間（未接触）した状態になっている。カード３２が挿入されていくと、まず、手前側（図の下側）の第一スイッチ端子６６に接し、挿入が進むと該第一スイッチ端子６６は奥行き方向（図の上側）に並行変位し、前記第一スイッチ端子６６と第二スイッチ端子６８とが接触することで、カード３２が挿入されたことを探知できるようになっている。
【特許文献１】厚み方向に変位し検知するものには、特開平１０−３２０５１１号がある。特開平１０−３２０５１１号の要約をによると、その目的は、カード読取装置のカードケースを薄形にし、小さなカード挿入力でスイッチエレメントの適正な弾性変位と加圧接触力が得られ第１、第２従動スイッチエレメントが加圧接触し撓む良好なワイピング効果と接触をできるようにすることであり、その構成はカード終端検出装置の第１、第２従動スイッチエレメント１，２がメモリカード１０の挿入方向に延びる第１、第２弾性接片５，６はメモリカードの表面に沿い延在しカードの厚み方向に対向配置され、第１弾性接片５はメモリカードが読取装置内に挿入されてカード表面に配された電極パッドと読取装置内に配されたコンタクトとが接触を開始した以降に、カード１０の前端縁部で押圧されカードの厚み方向に弾性変位して第２弾性接片６に加圧接触するよう配置され、第２弾性接片６は第１弾性接片５で押圧されカードの厚み方向に弾性変位して加圧接触部にワイピングするように配置されるようにしたものが開示されている。
【特許文献２】幅方向に変位し検知するものには、特開２００１−３５１７０９がある。特開２００１−３５１７０９の要約によると、その目的は厚みの異なる複数のメモリーカードを同一のコネクタに選択的に挿入して情報機器を操作することであり、その構成はコネクタ本体は左右側壁及び奥壁よりなり、左右側壁には使用されるメモリーカードの側壁に合わせた受容部がその全長に亘って形成され、側壁の内側面にはカード識別端子が複数段配置され、奥壁にはカードの蓄積情報を取り出し、叉はカードに電子情報を書き込むための端子が適宜配置され、通常の書込み禁止のための保護端子が他側の側壁の適所に配置され、カード識別端子はばね状の金属帯片からなり、複数段に亘ってコンタクトの一側壁に配置されるとともに、夫々の識別端子の接触によりカードの存在を識別する識別タブが、カードを挿入しない状態では端子と離間して、側壁内に配置されているものが開示されている。
【発明の開示】
【発明が解決しようとする課題】
【０００３】
近年、情報機器の小型化が進み、基板の小型化も進む中、基板の占有面積にも限りがある。基板の占有面積の制限は、必然的に基板の複数化となり、また、複数のメモリーカードを交換する際に、別々のコネクタを用意しておくことは、情報機器を大型化することになり、携帯等に不便である。
また、カードの挿入検知については、上記のようなものが提案されている。しかし、特許文献１や特許文献２のような、スイッチ機構ではコネクタ上のカード嵌合口とカードとのクリアランスが生じてしまう。その為、カードがスイッチ側に寄って挿入されると、カードが完全嵌合する前に前記カードが挿入されたと認識されてしまうという問題があった。クリアランスを小さくすると製造上の加工コストが上がり、かつ、挿入できなくなってしまうこともある。
さらに、上述した図５のような奥行き方向に変位するものでは、カードの種類によって、厚みの薄いカードでは、スイッチ端子の反発力の方が大きく、カード規格に規定される抜去力（通常１Ｎ（９８ｇ）以上）を満足できない場合があるという問題がある。
【０００４】
本発明は、このような従来の問題点に鑑みてなされたもので、前記カードが完全に嵌合された状態の際に確実に検知できるスイッチ機構を有するカードコネクタを提供せんとするものである。
【課題を解決するための手段】
【０００５】
上記目的は、少なくとも１枚以上のカード３２が挿抜されるカードコネクタ１０であって、前記カード３２と接触する接触部１４１、１５１を有する所要数のコンタクト１４、１５と、該コンタクト１４、１５が保持・配列されるとともに前記カード３２が挿入される嵌合口３０を有するハウジング１２と、前記カード３２の挿抜を検出するスイッチ機構とを備えるカードコネクタ１０において、前記スイッチ機構として、２つのスイッチ端子（第一スイッチ端子１６と第二スイッチ端子１８）を備え、前記カード３２が未挿入状態では前記第一スイッチ端子１６と前記第ニスイッチ端子１８は接触した若しくは未接触状態であり、前記カード３２が挿入されると前記第一スイッチ端子１６が前記カード３２が挿入される方向（奥行き方向）で斜め下方に変位することで、第一スイッチ端子１６と第二スイッチ端子１８とが未接触若しくは接触した状態になることで、前記カード３２の挿抜状態を検出可能にすることにより達成できる。
【０００６】
上下２段に嵌合口３０を有する場合には、上下２段に２枚のカード３２が挿抜されるカードコネクタ１０であって、前記カード３２と接触する接触部１４１、１５１を有する所要数のコンタクト１４、１５と、該コンタクト１４、１５が保持・配列されるとともに前記カード３２が挿入される嵌合口３０を有するハウジング１２と、前記カード３２の挿抜を検出するスイッチ機構とを備えるカードコネクタ１０において、下段側に前記スイッチ機構として、２つのスイッチ端子（第一スイッチ端子１６と第二スイッチ端子１８）を備え、前記カード３２が未挿入状態では前記第一スイッチ端子１６と前記第ニスイッチ端子１８は接触した若しくは未接触状態であり、前記カード３２が挿入されると前記第一スイッチ端子１６が前記カード３２が挿入される方向（奥行き方向）で斜め下方に変位することで、第一スイッチ端子１６と第二スイッチ端子１８とが未接触若しくは接触した状態になることで、前記カード３２の挿抜状態を検出可能にすることで達成できる。
また、前記第一スイッチ端子１６は断面略倒Ｕ形状をするとともに一端側に前記カード３２及び前記第二スイッチ端子１８と接触する接触部１６１と他端側に基板に接続する接続部１６３と前記接触部１６１と前記接続部１６３との間に固定部１６２を有し、前記第二スイッチ端子１８は略クランク形状をするとともに一端側に前記第一スイッチ端子１６と接触する接触部１８１と他端側に基板に接続する接続部１８３と前記接触部１８１と前記接続部１８３との間に固定部１８２を有し、各端子１６、１８の前記接続部１６３、１８３が前記ハウジング１２の幅方向に突出させる。
前記第一スイッチ端子１６の前記接触部１６１と前記固定部１６２の間で、前記接触部１６１より斜め上方に傾斜した傾斜部１６６を設ける。
更に、前記カード３２が挿入されるとまず前記第一スイッチ端子１６の接点Ａ１６４に接し、さらに挿入されると前記第一スイッチ端子１６が前記カード３２が挿入される方向（奥行き方向）で斜め下方に変位し、完全に前記カード３２が挿入されると前記第一スイッチ端子１６の接点Ｂ１６５が前記第二スイッチ端子１８の接触部１８１から離間し、前記カード３２の挿抜状態を検出可能にする。
【発明の効果】
【０００７】
以上の説明から明らかなように、本発明のカードコネクタによると、次のような優れた顕著な効果が得られる。
（１）少なくとも１枚以上のカード３２が挿抜されるカードコネクタ１０であって、前記カード３２と接触する接触部１４１、１５１を有する所要数のコンタクト１４、１５と、該コンタクト１４、１５が保持・配列されるとともに前記カード３２が挿入される嵌合口３０を有するハウジング１２と、前記カード３２の挿抜を検出するスイッチ機構とを備えるカードコネクタ１０において、前記スイッチ機構として、２つのスイッチ端子（第一スイッチ端子１６と第二スイッチ端子１８）を備え、前記カード３２が未挿入状態では前記第一スイッチ端子１６と前記第ニスイッチ端子１８は接触した若しくは未接触状態であり、前記カード３２が挿入されると前記第一スイッチ端子１６が前記カード３２が挿入される方向（奥行き方向）で斜め下方に変位することで、第一スイッチ端子１６と第二スイッチ端子１８とが未接触若しくは接触した状態になることで、前記カード３２の挿抜状態を検出可能にしているので、確実な検知ができ、かつ、クリアランスがあっても確実のカード３２の挿入を検知することができ、厚みの薄いカード３２であってもカード規格に規定される抜去力（通常１Ｎ（９８ｇ）以上）を満足できる。
【０００８】
（２）上下２段に嵌合口３０を有する場合には、上下２段に２枚のカード３２が挿抜されるカードコネクタ１０であって、前記カード３２と接触する接触部１４１、１５１を有する所要数のコンタクト１４、１５と、該コンタクト１４、１５が保持・配列されるとともに前記カード３２が挿入される嵌合口３０を有するハウジング１２と、前記カード３２の挿抜を検出するスイッチ機構とを備えるカードコネクタ１０において、下段側に前記スイッチ機構として、２つのスイッチ端子（第一スイッチ端子１６と第二スイッチ端子１８）を備え、前記カード３２が未挿入状態では前記第一スイッチ端子１６と前記第ニスイッチ端子１８は接触した若しくは未接触状態であり、前記カード３２が挿入されると前記第一スイッチ端子１６が前記カード３２が挿入される方向（奥行き方向）で斜め下方に変位することで、第一スイッチ端子１６と第二スイッチ端子１８とが未接触若しくは接触した状態になることで、前記カード３２の挿抜状態を検出可能にしているので、確実な検知ができ、かつ、クリアランスがあっても確実のカード３２の挿入を検知することができ、厚みの薄いカード３２であってもカード規格に規定される抜去力（通常１Ｎ（９８ｇ）以上）を満足できる。
【０００９】
（３）前記第一スイッチ端子１６は断面略倒Ｕ形状をするとともに一端側に前記カード３２及び前記第二スイッチ端子１８と接触する接触１６１と他端側に基板に接続する接続部１６３と前記接触部１６１と前記接続部１６３との間に固定部１６２を有し、前記第二スイッチ端子１８は略クランク形状をするとともに一端側に前記第一スイッチ端子１６と接触する接触部１８１と他端側に基板に接続する接続部１８３と前記接触部１８１と前記接続部１８３との間に固定部１８２を有し、各端子１６、１８の前記接続部１６３、１８３が前記ハウジング１２の幅方向に突出させているので、前記カード３２が未挿入状態では第一スイッチ端子１６と第二スイッチ端子１８とが確実に接触でき、完全に嵌合した状態では第一スイッチ端子１６と第二スイッチ端子１８とが確実に離間することができる。
【００１０】
（４）前記第一スイッチ端子１６の前記接触部１６１と前記固定部１６２の間で、前記接触部１６１より斜め上方に傾斜した傾斜部１６６を設けているので、前記カード３２が挿入された際に前記第一スイッチ端子１６が前記カード３２が挿入される方向（奥行き方向）で斜め下方に変位し易くなり、確実な検知が可能になる。
（５）前記カード３２が挿入されるとまず前記第一スイッチ端子１６の接点Ａ１６４に接し、さらに挿入されると前記第一スイッチ端子１６が前記カード３２が挿入される方向（奥行き方向）で斜め下方に変位し、完全に前記カード３２が挿入されると前記第一スイッチ端子１６の接点Ｂ１６５が前記第二スイッチ端子１８の接触部１８１から離間し、前記カード３２の挿抜状態を検出可能にしているので、前記カード３２が未挿入状態では第一スイッチ端子１６と第二スイッチ端子１８とが確実に接触でき、完全に嵌合した状態では第一スイッチ端子１６と第二スイッチ端子１８とが確実に離間することができる。
【発明を実施するための最良の形態】
【００１１】
図１から図４に基づいて、本発明の一実施例について説明する。図１（Ａ）はスイッチ端子の底面部側よりみたカードコネクタの斜視図であり、（Ｂ）は第一スイッチ端子と第二スイッチ端子との斜視図である。図２（Ａ）はカードが挿入される前の断面図であり、（Ｂ）は完全にカードが挿入された状態の断面図である。図３は接触状態と離間状態を説明する２つのスイッチ端子の斜視図である。図４は本発明のカードコネクタよりコンタクトを取り外した状態のハウジングと各コンタクトの斜視図である。
本発明のカードコネクタ１０は、主にコンタクト１４、１５とハウジング１２と２つのスイッチ端子１６、１８とを備えている。
【００１２】
構成部品を説明する前に、カード３２について説明する。前記カード３２はプリンターやカードリーダ等に使用されるものであって、前記カード３２には主にコンタクト１４、１５の接触部１４１、１５１と接触する接触部と該接触部から回路へ繋がるパターンと該パターン上に搭載されたＩＣやＣＰＵと第一スイッチ端子と接続する接続部とを備えている。本発明のカードコネクタ１０に使用されるカード３２としては、マルチメディアカード（登録商標）、ＳＤカード（Secure  Digital  memory  card、登録商標）、メモリースティック（登録商標）、スマートメディア（登録商標）、コンパクトフラッシュ（登録商標）、ｘDカード（登録商標）などのように、ＣＰＵあるいはメモリー用のＩＣが内臓されたＩＣカードが挙げられる。
本実施例のカードコネクタ１０では、上段にMemory-Stick  Duoが挿入され、下段にMini  ＳＤが挿入される。
【００１３】
まず、本発明のポイントである２つのスイッチ端子１６、１８について説明する。この２つのスイッチ端子１６、１８は金属製であり、公知技術のプレス加工によって製作されている。２つの前記スイッチ端１６、１８子の材質としては、バネ性や成型性などが要求されるので、黄銅やベリリウム銅やリン青銅等を挙げることができる。
２つのスイッチ端子１６、１８を接触若しくは離間させることで、カード３２が挿入されたかどうかを認識できるようにしたものである。本実施例では、カード未挿入状態で２つのスイッチ端子１６、１８が接触した状態であり、カード挿入状態で２つのスイッチ端子１６、１８が未接触状態の構造にすることで、カード３２の挿抜を探知する構造にし、この構造について説明する。（接触と未接触が逆の状態であってもよい。）
本実施例では、上段にMemory-Stick  Duoが挿入されるため、スイッチ機構はカード３２の特性上、カードの信号端子にスイッチ機構が設けられているため、上段にはスイッチ機構は必要なく、下段にのみ２つのスイッチ端子１６、１８を配置する構造にした。
【００１４】
最初に、第一スイッチ端子１６について説明する。図１（Ｂ）のように、該第一スイッチ端子１６は断面略倒Ｕ形状をし、少なくとも一端側に前記カード３２及び前記第二スイッチ端子１８と接触する接触部１６１と他端側に基板に接続する接続部１６３と前記接触部１６１と前記接続部１６３との間に固定部１６２を有している。前記接触部１６１と前記固定部１６２の間で、前記接触部１６１より斜め上方に傾斜した傾斜部１６６を設けると良い。
前記接続部１６３は、前記ハウジング１２の一方の幅方向の下側面に突出し、本実施例では表面実装タイプ（ＳＭＴ）にしている。本実施例では表面実装タイプにしたが、ディップタイプでもよい。前記固定部１６２は、前記ハウジング１２に本実施例ではボスを設けて圧入によって固定する構造にしている。前記接触部１６１には２つの接触部分（接点Ａ１６４と接点Ｂ１６５）があり、接点Ａ１６４は前記カード３２と接触する部分で湾曲し、接点Ｂ１６５は前記第二スイッチ端子１８と接触する部分で板状である。前記第一スイッチ端子１６の接触部１６１は前記第二スイッチ端子１８の接触部１８１と違い変位し、変位方向としては奥行き方向で斜め下方に変位する。前記カード３２と接触する接点Ａ１６４の形状は、図１（Ｂ）のように湾曲形状にし、かつ、傾斜部１６１を設けることで、前記カード３２に接触し易く、かつ、カード３２に傷つき難い形状で、奥行き方向で斜め下方に変位し易いようにしている。前記第二スイッチ端子１８と接触する接点Ｂ１６５の形状は前記第二スイッチ端子１８と接触し、安定して接触し、かつ、カードの挿抜を認識できるように本実施例では板状にしている。前記カード３２の挿抜を認識できれば如何なるものでもよく、接触性や認識性等を考慮して適宜設計する。本実施例では、第一スイッチ端子１６及び第二スイッチ端子１８ともに板状にしたが、どちらか一方を湾曲させるとか、どちらか一方に凸部を設けてもよい。
【００１５】
第二に、第二スイッチ端子１８について説明する。図１（Ｂ）のように、該第二スイッチ端子１８は略クランク形状をし、少なくとも一端側に前記第一スイッチ端子１６と接触する接触部１８１と他端側に基板に接続する接続部１８３と前記接触部１８１と前記接続部１８３との間に固定部１８２を有している。
前記接続部１８３は、前記ハウジング１２の一方の幅方向の下側面に突出し、本実施例では表面実装タイプ（ＳＭＴ）にしている。本実施例では表面実装タイプにしたが、ディップタイプでもよい。前記接触部１８１は図１（Ｂ）のように略L字形状に下側（図面の下方向）に突出している。前記接触部１８１は剛体に近く、前記第一スイッチ端子１６の接触部１６１のように変位することはなく、その形状としては前記第一スイッチ端子１６の接点Ｂ１６５と同様に板状になっている。前記固定部は、前記ハウジングに本実施例ではボスを設けて圧入によって固定する構造にしている。
【００１６】
前記第一スイッチ端子１６と前記第二スイッチ端子１８の位置は、挿抜を認識するカード３２の大きさや挿入した際に前記カード３２が前記第一スイッチ端子１６と確実に接触することや前記第一スイッチ端子１６の変位が奥行き方向で斜め下方に変位できることや完全に前記カード３２が挿入された際に前記第一スイッチ端子１６の接触部１６１の接点Ｂ１６５が前記第二スイッチ端子１８の接触部１８１から離間することや前記第一スイッチ端子１６と前記第二スイッチ端子１８の接続部１６３、１８３がカードコネクタ１０の幅方向に突出できること等を考慮して適宜設計する。本実施例では、挿入されるカードの大きさが奥行き方向の半分程度しかないため、図１（Ａ）のように奥行き方向の中間付近に２つのスイッチ端子１６、１８を配置し、各々の接続部１６３、１８３が奥行き方向の中央付近で幅方向下方に突出するように配置している。
【００１７】
最後に、第一スイッチ端子１６と第二スイッチ端子１８との接続構造について説明する。図２のごとく、前記カード３２が挿入されると、前記カード３２が前記第一スイッチ端子１６の接触部１６１の接点Ａ１６４に接し、さらに前記カード３２が挿入されると前記第一スイッチ端子１６が図２（Ｂ）のように前記カード３２の挿入される方向（奥行き方向）で斜め下方（矢印「イ」方向）に変位する。前記カード３２が完全に挿入されることにより、第一スイッチ端子１６と第二スイッチ端子１８とが未接触状態（離間状態）になり、前記カード３２の挿抜状態を検出可能にしている。本実施例では、離間し信号が遮断することで前記カード３２の挿入を認識するようにしている。つまり、カード未挿入状態では図３（Ａ）のように第一スイッチ端子１６の接点Ｂ１６５が第二スイッチ端子１８の接触部１８１に接触した状態であり、カードが完全挿入状態では図３（Ｂ）のように第一スイッチ端子１６の接点Ｂ１６５が第二スイッチ端子１８の接触部１８１から離間した状態になる。
【００１８】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、複数の前記カード３２が挿入される所要数の嵌合口３０が設けられている。本実施例では、前記嵌合口３０の数としては上下に２つ設けている。前記嵌合口３０の大きさは前記カード３２が挿入でき、前記カード３２が挿入された際に前記コンタクト１４、１５や前記第一スイッチ端子１６に接触できるように適宜設計されている。
【００１９】
上側の前記嵌合口３０には、Memory-Stick  Duoカードが挿入され、下側の前記嵌合口３０にはMini  ＳＤカードが挿入されるようになっている。上側の前記嵌合口３０と下側の前記嵌合口３０との間は、図１（Ａ）のように絶縁物の中間壁２８によって区切られている。前記ハウジング１２には、所要数のコンタクト１４、１５が装着される挿入溝が設けられており、圧入や引っ掛け（ランス）や溶着等によって固定されている。所要数の該コンタクト１４、１５の接触部１４１、１５１は前記嵌合口３０内に突出するように固定されている。
前記ハウジング１２は、少なくとも上部壁２２と下部壁２４と２つの側壁２６、２６と奥行壁２９とを備え、挿入されるカード３２の数量によって所要数の中間壁２８（縦・横）が備えられており、各嵌合口３０が独立した状態になっている。
【００２０】
最後に、コンタクト１４、１５について説明する。本実施例では、前記コンタクト１４、１５には上段に配置されるものと、下段に配置されるものの２種類がある。２種類のコンタクト１４、１５ともに、前記スイッチ端子１６、１８同様に金属製であり、公知技術のプレス加工によって製作されている。２種類の前記コンタクト１４、１５の材質としては、バネ性や導電性などが要求されるので、黄銅やベリリウム銅やリン青銅等を挙げることができる。
２種類の前記コンタクト１４、１５ともに、少なくとも前記カード３２に接触する接触部１４１、１５１と前記ハウジング１２に固定される固定部１４２、１５２と基板に接続する接続部１４３、１５３とを備えている。
【００２１】
上段に挿入されるカード３２と接触する前記コンタクト１４の接続部１４３は前記嵌合口３０と反対方向（奥行き方向）に突出するように配置され、下段に挿入されるカード３２と接触する前記コンタクト１５の接続部１５３は前記嵌合口３０側に突出するように配置されている。
上段に配置される前記コンタクト１４は略Ｌ字形状をしており、前記コンタクト１４には前記カード３２の接触部に対応するため２つのタイプがある。つまり、前記カード３２の接触部の位置に対応するため、固定部１４２から接触部１４１までの長さを、図４のように変えている。前記コンタクト１４は嵌合口３０と反対側（テール側）より挿入されて前記ハウジングに固定されている。
下段に配置される前記コンタクト１５は略Ｕ形状をしており、嵌合口３０側より挿入されて前記ハウジング１２に固定される。
【００２２】
本実施例では、カード３２が２段に挿入されるタイプのものを例示したが、カード３２の枚数に関係なく、本発明のスイッチ構造を採ることは可能である。
【産業上の利用可能性】
【００２３】
本発明の活用例としては、機器内の電子・電気機器やプリンターやカードリーダに使用されるカードコネクタに活用され、特にカードの挿入時にスイッチ構造に関するものである。
【図面の簡単な説明】
【００２４】
【図１】（Ａ）  スイッチ端子の接続部側よりみたカードコネクタの斜視図である。（Ｂ）  第一スイッチ端子と第二スイッチ端子との斜視図である。
【図２】（Ａ）  カードが挿入される前の断面図である。（Ｂ）  完全にカードが挿入された状態の断面図である。
【図３】接触状態と離間状態を説明する２つのスイッチ端子の斜視図である。
【図４】本発明のカードコネクタよりコンタクトを取り外した状態のハウジングと各コンタクトの斜視図である。
【図５】（Ａ）  カード挿入される前のスイッチ端子の状態を説明する図である。（Ｂ）  カードが挿入された時のスイッチ端子の状態を説明する図である。
【符号の説明】
【００２５】
１０、６０                        カードコネクタ
１２、６２                        ハウジング
１４、１５                        コンタクト
１６、６６                        第一スイッチ端子
１８、６８                        第二スイッチ端子
１４１、１５１、１６１、１８１    接触部
１４２、１５２、１６２、１８２    固定部
１４３、１５３、１６３、１８３    接続部
１６４                            接点Ａ
１６５                            接点Ｂ
１６６                            傾斜部
２０                              空間
２２                              上部壁
２４                              下部壁
２６                              側壁
２８                              中間壁
２９                              奥行壁
３０                              嵌合口
３２                              カード
【図１】
2006107971.tif 000003
【図２】
2006107971.tif 000004
【図３】
2006107971.tif 000005
【図４】
2006107971.tif 000006
【図５】
2006107971.tif 000007